(57)【特許請求の範囲】
【請求項１】
利用者の位置を検出する位置検出手段と、表示装置で表示される情報の基礎となる表示データを作成する表示データ作成手段と、前記表示データに基づき表現形態が異なるデザインで前記情報を前記表示装置で表示するための三種類以上の表示モードを記憶する記憶手段と、前記位置に応じて前記表示装置で表示する前記表示モードに対応した前記デザインを前記記憶手段に設定する入力手段と、前記位置に従い前記表示モードの何れかに対応した前記デザインで自動的に前記利用者が設定したタイミングで選択表示するように前記表示装置の画面を切り換え制御する制御手段とを有し、
前記表示モードは、前記設定を行うためのメニューモードを有し、
前記記憶手段は、前記メニューモード以外の前記表示モードの各デザインを縮小表示するサムネイルを記憶し、
前記制御手段は、前記メニューモードにおいて前記サムネイルと複数の状況とを同一画面に同時に表示し、
前記入力手段は、前記メニューモードにおいて前記複数の状況の各状況毎に対応するサムネイルを選択して表示モードを設定し、
前記制御手段は、前記表示装置が、前記状況に対応するタイミングにより、前記状況に対応して設定された表示モードに対応する前記デザインで表示するように制御する
ことを特徴とするナビゲーション装置。
【請求項２】
利用者の設定により三種類以上の表現形態が異なる表示モードの何れかに対応したデザインで自動的に前記利用者が設定したタイミングで選択表示するように表示装置の画面を切り換え可能とするナビゲーション装置の表示方法であって、
前記設定を行うためのメニューモードでは、このメニューモード以外の前記表示モードの各デザインを縮小表示するサムネイルと複数の状況とを同一画面に同時に表示して前記複数の状況の各状況毎にサムネイルを選択して表示モードを設定することを可能とし、
この状況に対応する前記タイミングにより前記表示装置が前記状況に対応して設定された表示モードに対応する前記デザインで表示する
ことを特徴とするナビゲーション装置の表示方法。
【発明の詳細な説明】
【０００１】
【発明の属する技術分野】
本発明は、人間，車両等の移動体の誘導等に利用されるナビゲーション装置及びその表示方法に関する。
【０００２】
【従来の技術】
表示装置の画面に少なくとも利用者の現在地に関する情報を表示することにより、人間，車両等の移動体の経路誘導等に利用されるナビゲーション装置として、例えば、地図の上に、前記現在地を示す記号（前記「現在地に関する情報」），走行ルート，目的地，方位，縮尺等の情報を重ねて表示するものが実用化されており、表示モードとしては、前記現在地を前記表示装置の略中央に配置する現在地中心表示モードや、走行方向の前方を広く表示するフロントワイド表示モード等があり、また、前記各モードにおいて、方位の「北」を上にして表示するノースアップ表示モードや、進行方向を上にして表示するヘディングアップ表示モード等を組み合わせて表示することが知られている（例えば、特開平10-20776号公報参照）。
【０００３】
【発明が解決しようとする課題】
前記表示装置の前記画面で表示される表示モードは、所定のデザインによる固定式、あるいは、ナビゲーション装置のプログラムにより自動的に複数のデザインが切り換わる切換式、もしくは、複数のデザインを前記利用者の操作により適宜タイミングで選ぶ選択式があるが、前記固定式では面白みに欠けるきらいがあり、前記切換式では前記利用者の好みが反映されず、前記選択式ではその都度操作する必要があって煩わしい等の問題を有し、利便性向上に改良の余地があった。
【０００４】
斯かるナビゲーション装置は、このような課題に着目して考えられたものであり、利便性を改良したナビゲーション装置及びその表示方法の提供を目的とする。
【０００５】
【課題を解決するための手段】
前記課題を解決するため本発明のナビゲーション装置は、請求項１に記載のように、利用者の位置を検出する位置検出手段と、表示装置で表示される情報の基礎となる表示データを作成する表示データ作成手段と、前記表示データに基づき表現形態が異なるデザインで前記情報を前記表示装置で表示するための三種類以上の表示モードを記憶する記憶手段と、前記位置に応じて前記表示装置で表示する前記表示モードに対応した前記デザインを前記記憶手段に設定する入力手段と、前記位置に従い前記表示モードの何れかに対応した前記デザインで自動的に前記利用者が設定したタイミングで選択表示するように前記表示装置の画面を切り換え制御する制御手段とを有し、前記表示モードは、前記設定を行うためのメニューモードを有し、前記記憶手段は、前記メニューモード以外の前記表示モードの各デザインを縮小表示するサムネイルを記憶し、前記制御手段は、前記メニューモードにおいて前記サムネイルと複数の状況とを同一画面に同時に表示し、前記入力手段は、前記メニューモードにおいて前記複数の状況の各状況毎に対応するサムネイルを選択して表示モードを設定し、前記制御手段は、前記表示装置が、前記状況に対応するタイミングにより、前記状況に対応して設定された表示モードに対応する前記デザインで表示するように制御することを特徴とする。
【０００６】
請求項１に記載の発明によれば、自動的に適宜タイミングで前記利用者の好みに応じたデザインで前記画面が切り換わるため、利便性を改良したナビゲーション装置の提供を行うことができる。
【０００９】
また、メニューモードを見ながら前記設定を行うことができ、特に、サムネイルで実際の前記画面の表示を直感的に想像することができるため、一層利便性を改良したナビゲーション装置の提供を行うことができる。
【００１０】
前記課題を解決するため本発明のナビゲーション装置の表示方法は、請求項２に記載のように、利用者の設定により三種類以上の表現形態が異なる表示モードの何れかに対応したデザインで自動的に前記利用者が設定したタイミングで選択表示するように表示装置の画面を切り換え可能とするナビゲーション装置の表示方法であって、前記設定を行うためのメニューモードでは、このメニューモード以外の前記表示モードの各デザインを縮小表示するサムネイルと複数の状況とを同一画面に同時に表示して前記複数の状況の各状況毎にサムネイルを選択して表示モードを設定することを可能とし、この状況に対応する前記タイミングにより前記表示装置が前記状況に対応して設定された表示モードに対応する前記デザインで表示することを特徴とする。
【００１１】
請求項２に記載の発明によれば、前記利用者が前記表示装置の前記画面で表示させたい前記表示モードを設定することにより、自動的に適宜タイミングで前記利用者の好みに応じたデザインで前記画面を切り換え可能となるため、利便性を改良したナビゲーション装置の表示方法の提供を行うことができる。
【００１４】
また、メニューモードを見ながら前記設定を行うことができ、特に、サムネイルで実際の前記画面の表示を直感的に想像することができるため、一層利便性を改良したナビゲーション装置の表示方法の提供を行うことができる。
【００１５】
【発明の実施の形態】
本発明を、添付図面に示した実施の形態に基づき説明する。
【００１６】
図１は、本発明の実施の形態の構成を説明するブロック図であり、ＧＰＳ用の測位衛星からの信号を受信するアンテナ１と、一定の周期によりその信号を取り込んで周波数変調及び復調して受信位置の緯度，経度，進行方向（方位や角度とも言う），高度等の位置データを演算して出力する受信ユニット２と、受信ユニット２からの出力信号を入力して演算処理を行うことにより使用者である移動体の現在地に関する位置データを求める制御装置３と、制御装置３の前記位置データに応じて地図，地形図，道路，河川，地名等の地図データを記憶しているＣＤ−ＲＯＭ等の記憶媒体４から前記現在地の周囲の前記地図データに基づく表示データを読み出す読取装置５と、使用者の操作によって制御装置３へ各種設定を入力するためのキーボードやスイッチ等の入力装置６と、制御装置３の前記位置データに基づく前記表示データを用いることにより、現在地，目的地，走行ルート，方位，縮尺度等の情報を表示するためのＬＣＤからなる表示装置７とにより構成されている。なお、８は表示装置７を駆動するための制御装置３と表示装置７との間に位置するドライバ回路である。
【００１７】
この実施の形態で示す所謂ＧＰＳタイプのナビゲーション装置では、アンテナ１と受信ユニット２と制御装置３が、前記利用者の現在地等の位置を検出する位置検出手段となっているが、所謂自立航法タイプ、あるいは、それと前記ＧＰＳタイプとの併用である所謂ハイブリッドタイプのナビゲーション装置であれば、速度センサや方位センサ等の各種センサ、及び、演算を行うマイコン等の演算装置等が位置検出手段となり、前記演算装置としては、制御装置３のＣＰＵ３ａで兼用することも可能である。
【００１８】
制御装置３は、ＣＰＵ３ａ，ＲＯＭ３ｂ，ＲＡＭ３ｃ等からなる周知のマイクロコンピュータ（マイコン）で構成されており、ＲＡＭ３ｃに格納される各種データをＲＯＭ３ｂに予め記憶したプログラムに基づきＣＰＵ３ａが所定の演算処理を行うことにより前記位置データを求める。
【００１９】
なお、記憶媒体４は、パソコン等の外部装置からＣＤ−ＲＯＭやＤＶＤ−ＲＯＭに記憶されている前記地図データ（あるいは、前記表示データ）を取り込み、又は、通信回線を介して遠隔地のサーバから前記地図データ（あるいは、前記表示データ）をダウンロードし、これを記憶素子（フラッシュメモリー，メモリースティック，メモリーＩＣ等と称する携帯可能な半導体素子）に記憶させる構成ではその記憶素子が該当し、この構成では制御装置３のＣＰＵ３ａが読取装置５の役割を担当することになり、記憶媒体４と読取装置５、又は、これらに相当する代替品が、表示装置７で表示され後述する情報の基礎となる前記表示データを作成するための表示データ作成手段となる。
【００２０】
次に、表示装置７での具体的な表示について、図２〜図４を用いながら説明する。
【００２１】
図２は、「ルートガイドモード」と称する表示モードにおける表示例を示しており、表示装置７は、横方向に長い矩形状の表示領域である画面Ｘを有し、この画面Ｘに、各種情報を表示するのであるが、前記情報としては、前記表示データから抽出されるデータやＲＡＭ３ｃに格納される前記各種データから抽出されるデータを組み合わせて構成され、例えば、利用者の現在地を示す略矢印形状の現在地表示アイコンａ、前記利用者が移動中の利用道路を示す太線状の利用道路イメージｂ、前記利用道路に接続され前記現在地の移動方向前方に位置する選択道路を示す細線状の選択道路イメージｃ、前記利用者により設定され前記現在地の移動方向前方に位置する、例えば前記利用道路と前記選択道路との交差点を示す円形状のウエーポイント（Way Point）表示アイコンｄを有している。
【００２２】
前記ウエーポイントは、目的地やチェックポイント等の目印地点として利用されるものである。また、前記進行方向とは、実際の移動中における正面の方角のみならず、非移動時における前記利用者の向いている方角をも含む。
【００２３】
現在地表示アイコンａは、画面Ｘの中心Ｙよりも若干下方となるよう、画面Ｘの垂直方向の中心よりも下方の個所、例えば、画面Ｘの下端から前記垂直方向の上方へ３分の１の個所に位置すると共に前記進行方向前方を現在地表示アイコンａの上方に表示し、少なくともウエーポイント表示アイコンｄが画面Ｘに表示されるまでは前記現在地が変化しても現在地表示アイコンａは画面Ｘにおける位置や方向が変化せずに前記個所に留まって表示する、所謂フロントワイド表示モード、かつ、ヘディングアップ表示モードでの表示を行う。なお、図２では、現在地表示アイコンａが、画面Ｘの左右略中間個所に位置するように表示されているが、後述する他の表示項目との関係により、左右何れかの方向へずれて表示されても構わない。
【００２４】
利用道路イメージｂは、画面Ｘの略全体に渡って表示されており、この利用道路イメージｂの上に現在地表示アイコンａが重なる状態で表示されており、この表示が意味する前記利用道路とは、前記使用者がルートガイダンス機能等を用いて予め検索設定した出発地から目的地までの移動予定ルートとして選択された道路を言う。
【００２５】
選択道路イメージｃは、利用道路イメージｂと比べて細めに表示されており、前記現在地の移動方向前方の画面Ｘで表示される一定範囲内に存在しない場合には画面Ｘで表示されないし、また、前記現在地の移動方向後方に存在しても画面Ｘで表示されない。
【００２６】
ウエーポイント表示アイコンｄは、前記現在地の移動方向前方の画面Ｘで表示される一定範囲内に存在しない場合には画面Ｘで表示されないし、また、前記現在地の移動方向後方に存在しても画面Ｘで表示されない。また、前記情報としては必須でなく、表示するかしないかを選択可能としたり、全く表示しなくても良い。
【００２７】
画面Ｘには、前記情報以外にも、例えば、衛星受信状況７１、進行方向（コンパス）７２、進行誘導７３、現在地の地名７４、距離縮尺（スケール）７５、次の前記ウエーポイントまでの残距離７６等の他の表示項目が、同時、又は、選択的に表示されている。
【００２８】
このような表示により、現在地表示アイコンａは、前記現在地の変化に伴って位置や方向が変化せずに同一場所に留まって表示されるため、画面Ｘにおける現在地表示アイコンａを容易に認識することができるものとなって視認性が高く、周囲の実際の風景と画面Ｘとを比較することにより、近い将来における前記現在地の到達地点を容易に推測することができる。
【００２９】
ところで、本発明のナビゲーション装置では、前述した複数の表示モードのうちの一つとして、図３で示すような「メニューモード」と称する表示モードを設けており、この「メニューモード」では、画面Ｘの左側の縦方向にこの画面Ｘで切換表示可能な各デザインの縮小画像であるサムネイル（Thumbnail）Ｔ１〜Ｔ５を並べた表示見本部Ｔと、画面Ｘの上側の横方向に前記利用者の位置に応じて求まる複数の利用者運転状況を並べた見出部Ｈと、表示見本部Ｔと見出部Ｈとが交差する個所に位置する複数個のラジオボタンＳ１から成る選択部Ｓを前記情報として表示する。
【００３０】
すなわち、サムネイルＴ１〜Ｔ５は、前記「ルートガイドモード」の他、後述する「軌跡モード」「コンパスモード」「矢印モード」「文字モード」と称する各表示モードに対応しており、見出部Ｈに表示する前記状況毎に、前記利用者が表示装置７で表示させたい前記表示モードの何れかを選択部Ｓで設定することにより、自動的に適宜タイミングで前記利用者の好みに応じたデザインで画面Ｘを切り換えることができる。
【００３１】
サムネイルＴ１は、「ルートガイドモード」のデザインを縮小表示しており、この「ルートガイドモード」が選択されると、表示装置７の画面Ｘは、図２で示すようなデザインで表示を行うのであるが、これについては前述したので説明を省略する。
【００３２】
サムネイルＴ２は、「軌跡モード」のデザインを縮小表示しており、この「軌跡モード」が選択されると、表示装置７の画面Ｘは、図４（ａ）で示すようなデザインで表示を行うのであり、すなわち、現在地表示アイコンａと、ウエーポイント表示アイコンｄと、前記現在地の履歴、すなわち移動して来た過去の通過点を示す点状の軌跡イメージｅとが、画面Ｘの中央部に前記情報として表示される。
【００３３】
この表示モードでは、画面Ｘで表示される情報が少なくなって視認性が高い。
【００３４】
サムネイルＴ３は、「コンパスモード」のデザインを縮小表示しており、この「コンパスモード」が選択されると、表示装置７の画面Ｘは、図４（ｂ）で示すようなデザインで表示を行うのであり、すなわち、同一の画面Ｘにおいて、前記利用者の前記現在地が変化しても所定位置に留まる現在地表示アイコンａと、前記現在地を中心とする前記進行方向前方の一定範囲の方位に関する方位情報と、前記現在地における前記進行方向と前記利用者により設定される前記ウエーポイントとの方位に関する誘導情報とが、画面Ｘの中央部に前記情報として表示される。
【００３５】
前記方位情報とは、前記現在地を中心として進行方向前方の一定範囲の方位に関する情報を言い、図４（ｂ）では、前記現在地を中心として進行方向前方の左右４５度の範囲の方位を、「Ｎ（北）」「ＮＥ（北東）」「Ｅ（東）」「ＳＥ（南東）」「Ｓ（南）」「ＳＷ（南西）」「Ｗ（西）」「ＮＷ（北東）」の記号ｆと、全方位（３６０度）を３２分割した目盛ｇとで構成している。
【００３６】
前記誘導情報とは、前記現在地における前記進行方向と前記ウエーポイントとの方位に関する情報を言い、ウエーポイント表示アイコンｄが画面Ｘで表示される場合には、このウエーポイント表示アイコンｄが前記誘導情報の一部を構成する。
【００３７】
進行方向（正面）が南で前記ウエーポイントが南南西に位置する場合、画面Ｘの垂直方向の略中央には水平方向に目盛ｇが配置されると共にこの目盛ｇに重ねて画面Ｘの中心Ｙに現在地表示アイコンａが位置するように表示され、目盛ｇの下方左右に「ＳＥ」と「ＳＷ」の記号ｆが表示され、現在地表示アイコンａの下方に「Ｓ」の記号ｆが表示され、目盛ｇの上方の「Ｓ」と「ＳＷ」の記号ｆの中間にウエーポイント表示アイコンｄが表示される。なお、画面Ｘの左下には、前記ウエーポイントを特定するウエーポイント名７７が表示されている。
【００３８】
この表示モードでは、現在地表示アイコンａは、前記現在地の変化に伴って位置や方向が変化せずに同一場所に留まって表示されるため、画面Ｘにおける現在地表示アイコンａを容易に認識することができるものとなって視認性が高い。
【００３９】
サムネイルＴ４は、「矢印モード」のデザインを縮小表示しており、この「矢印モード」が選択されると、表示装置７の画面Ｘは、図４（ｃ）で示すようなデザインで表示を行うのであり、すなわち、同一の画面Ｘにおいて、利用者の現在地が変化しても所定位置に留まる現在地表示アイコンａと、この現在地表示アイコンａの周囲に位置して前記利用者により設定される前記ウエーポイントの方向（ウエーポイント方向）に関する進行情報とが、画面Ｘの中央部に前記情報として表示される。
【００４０】
前記進行情報とは、前記現在地を中心とする前記進行方向の少なくとも前方の所定角度範囲を分割し、前記ウエーポイント方向を指示することができる複数個の区切りマークからなるもので、図４（ｃ）では、前記現在地を中心として前記進行方向前方の左右９０度を前記所定角度範囲とし、これを島状に配置した明色（発光）ドット形状からなる９個の区切りマークｉで８分割している。つまり、前記進行情報は分離状に形成されている。
【００４１】
個々の区切りマークｉは、夫々が左右１１．２５度の領域を有し、この領域に前記ウエーポイント方向が含まれる場合には暗色（非発光）ドット形状からなるウエーポイント方向指示兼用区切りマークｊへ代わり、前記ウエーポイント方向を指示する。
【００４２】
これにより、前記進行方向と前記ウエーポイントとの関係を、９０度の４分の１の単位で知ることができる。
【００４３】
更に、区切りマークｉの内、隣接する２個をウエーポイント方向指示兼用区切りマークｊとすることにより、この２つのマークｊの間に前記ウエーポイントが位置することを指示することができ、すなわち、１１．２５度（９０度の８分の１）の単位ずつに分割指示するのと同様な表示形態を実現して、表示分解能を高めることもできる。
【００４４】
この表示モードでは、ウエーポイント方向指示兼用区切りマークｊの位置を見ることで、前記進行方向と前記ウエーポイントとの関係を容易に認識することができるものとなって視認性が高い。
【００４５】
サムネイルＴ５は、「文字モード」のデザインを縮小表示しており、この「文字モード」が選択されると、表示装置７の画面Ｘは、図４（ｄ）で示すようなデザインで表示を行うのであり、すなわち、前記ウエーポイントと現在地との間隔、前記ウエーポイントの名称、現在地の名称、前記ウエーポイントの方向等の文字ｋが、画面Ｘの中央部に前記情報として表示される。
【００４６】
この表示モードでは、画面Ｘには、文字ｋが表示されるため、状況を瞬時に把握することができるものとなって判読性が高い。
【００４７】
斯かる構成において、前記表示データに基づき異なるデザインで前記情報を表示装置７で表示するための五種類の表現形態が異なる前記表示モード「ルートガイドモード」「軌跡モード」「コンパスモード」「矢印モード」「文字モード」を記憶する記憶手段としてＲＡＭ３ｃが用いられ、前記状況に応じて表示装置７で表示する前記表示モードを設定する入力手段として入力装置６が用いられ、前記状況に基づき前記表示モードの何れかを自動的に適宜タイミングで選択表示するように表示装置７の画面Ｘの全体を切り換え制御する制御手段として制御装置３のＣＰＵ３ａが用いられている。
【００４８】
図３は、前記表示モードが前記利用者により前記状況毎に設定されている場合を示しており、ラジオボタンＳ２が前記利用者により選択されて個所を示している。すなわち、前記状況として移動時を示す「Drive」ではサムネイルＴ３の「コンパスモード」による表示、前記状況として前記ウエーポイントの一定距離内への接近時を示す「Way Point」ではサムネイルＴ５の「文字モード」による表示、前記状況として停止等の非移動時を示す「Help」ではサムネイルＴ１の「ルートガイドモード」による表示で、表示装置７の画面Ｘ全体が自動的に切り換わる設定になっていることを示している。
【００４９】
斯かる構成によれば、前記利用者が表示装置７で表示させたい表示モードを選択部Ｓで設定することにより、自動的に適宜タイミングで前記利用者の好みに応じたデザインで画面Ｘを切り換えることが可能となって利便性が高い。
【００５０】
また、前記メニューモードを見ながら前記設定を行うことができ、特に、サムネイルＴ1〜Ｔ５を見ることで、画面Ｘにおける前記表示モードの実際の表示を直感的に想像しやすく前記設定が容易となって一層利便性が高い。
【００５１】
また、前述した実施の形態では、表示装置７の画面Ｘの全体が切り換わるため、画面Ｘサイズが小さい表示装置７での表示に適しており、表示装置７のコストを押さえつつ、視認性や利便性を改良したナビゲーション装置を実現することができる。
【００５２】
なお、図２、及び、図４（ａ）〜（ｄ）の個々と図３とでは、画面Ｘの縦横比が異なっているが、これは説明の都合上によるもので、実際は同一の表示装置７の画面Ｘで切換表示が行われる。
【００５３】
本発明は、前述した実施の形態に限るものではなく、種々の変形が可能であり、例えば、画面Ｘで表示する前記表示モードは、前述したものに限らない。
【００５４】
また、前述した実施の形態のように、前記状況毎に画面Ｘを切り換えて表示する前記表示モードを異ならせる他にも、前記状況の全てにおいて、あるいは、前記状況の複数の幾つかにおいて、同じものを表示するように入力装置６で設定することもできる。
【００５５】
また、画面Ｘで表示される、衛星受信状況７１、コンパス７２、進行誘導７３、現在地の地名７４、スケール７５、次の前記ウエーポイントまでの残距離７６、ウエーポイント名７７等の表示項目は、図２、及び、図４（ａ）〜（ｄ）で示した前記表示モードにおいて、制御装置３に組み込まれたプログラムによる指示や、前記利用者による入力装置６を介しての選択により、自由な組み合わせで表示させることができる。
【００５６】
本発明は、前述した実施の形態に限らず、表示装置７の画面Ｘで少なくとも前記利用者の前記状況に関する前記情報を表示するナビゲーション装置の表示方法において、前記利用者の前記設定により複数の前記表示モードの何れかを自動的に適宜タイミングで選択表示するように画面Ｘを切り換え可能とすることで、自動的に適宜タイミングで前記利用者の好みに応じたデザインで画面Ｘが切り換わって、利便性を改良したナビゲーション装置の表示方法の提供を行うことができる。
【００５７】
特に、前記設定を行うための前記メニューモードを画面Ｘで表示したり、更に、前記メニューモードにおいて、前記メニューモード以外の前記表示モードの各デザインを縮小表示するサムネイルＴ１〜Ｔ５を画面Ｘで表示することで、前記メニューモードを見ながら前記設定を行うことができ、特に、サムネイルＴ１〜Ｔ５で実際の画面Ｘの表示を直感的に想像することができるため、一層利便性を改良したナビゲーション装置の表示方法の提供を行うことができる。
【００５８】
【発明の効果】
この発明によれば、利便性を改良したナビゲーション装置及びその表示方法の提供を行うことができる。
【図面の簡単な説明】
【図１】  本発明の実施形態の構成を説明するブロック図。
【図２】  同上における表示を説明する説明図。
【図３】  同上における表示を説明する説明図。
【図４】  同上における表示を説明する説明図。
【符号の説明】
１  アンテナ（位置検出手段）
２  受信ユニット（位置検出手段）
３  制御装置（位置検出手段）
３ａ  ＣＰＵ（制御手段）
３ｂ  ＲＯＭ（記憶手段）
３ｃ  ＲＡＭ（記憶手段）
４  記憶媒体（表示データ作成手段）
５  読取装置（表示データ作成手段）
６  入力装置（入力手段）
７  表示装置
ａ  現在地表示アイコン
ｂ  利用道路イメージ
ｃ  選択道路イメージ
ｄ  ウエーポイント表示アイコン（誘導情報）
ｅ  軌跡イメージ
ｆ  記号（方位情報）
ｇ  目盛（方位情報）
ｉ  区切りマーク（進行情報）
ｊ  ウエーポイント方向指示兼用区切りマーク（進行情報）
ｋ  文字
Ｘ  画面
Ｙ  中心
Ｈ  見出部
Ｓ  選択部
Ｔ  表示見本部
Ｔ１〜Ｔ５  サムネイル
【図１】
0003824307.tif 000002
【図２】
0003824307.tif 000003
【図３】
0003824307.tif 000004
【図４】
0003824307.tif 000005